(57)【特許請求の範囲】
【請求項１】
無線通信において伝送することが許容されるパケット量を示す情報に基づいて受信可能なパケットの最大量を決定する決定手段と、
決定された受信可能パケット最大量を含む情報を送信する送信手段と、を具備し、
前記決定手段は、
パケットを受信する受信部と、
受信パケットのフレームエラー率を算出する算出部と、
無線通信に使用される無線帯域を制御する制御部と、
算出されたフレームエラー率、及び、制御された無線帯域から前記受信パケットを記憶するために使用可能な最大バッファ容量を推定する推定部と、を有し、
推定された最大バッファ容量から使用中のバッファ容量を減じることにより受信可能パケット最大量を決定することを特徴とする無線パケット通信装置。
【請求項２】
前記推定部は、
前記制御部によって使用される無線帯域が変更されるごとに最大バッファ容量を推定することを特徴とする請求項１記載の無線パケット通信装置。
【請求項３】
パケットを受信するステップと、
受信パケットのフレームエラー率を算出するステップと、
無線通信に使用される無線帯域を制御するステップと、
算出されたフレームエラー率、及び、制御された無線帯域から前記受信パケットを記憶するために使用可能な最大バッファ容量を推定するステップと、
推定された最大バッファ容量から使用中のバッファ容量を減じることにより受信可能なパケット最大量を決定するステップと、
決定した受信可能パケット最大量を含む情報を送信するステップと、
を有することを特徴とする無線パケット通信方法。
【発明の詳細な説明】
【０００１】
【発明の属する技術分野】
本発明は、無線パケット通信装置および無線パケット通信方法に関し、特にＩＰネットワークに接続する無線パケット通信装置および無線パケット通信方法に関する。
【０００２】
【従来の技術】
近年、無線通信回線を介したＩＰネットワークとのデータ通信が盛んに行われている。図４は、ＩＰネットワークと無線通信システムの構成の一例を示す図である。図４において、無線端末３は、固定端末６やサーバ５とデータ通信を行う場合、まず無線リンクを介して基地局２とデータの送受信を行い、さらに、基地局２が有線網で構成されたＩＰネットワーク１を介して固定端末６やサーバ５とデータ通信を行う。
【０００３】
一般に、ＩＰネットワーク１に接続される固定端末６やサーバ５には、エンドツーエンドでのデータ伝送の高信頼性を保証するために、ＯＳＩ（Open System Interconnection）参照モデルの第４層（トランスポート層）にあたるＴＣＰが実装されている。ＴＣＰは、データの伝送量を制御するフロー制御や再送制御等の機能を有するプロトコルである。フロー制御は、同時に伝送可能なＴＣＰセグメント（ＴＣＰにおけるデータ伝送単位）の数を示すウィンドウサイズを増減させることによって実現できる。
【０００４】
図５は、無線端末３と固定端末６またはサーバ５とに実装されたＴＣＰにおけるフロー制御を説明するための図である。ここでは、固定端末６を送信側ＴＣＰ１０とし、無線端末３を受信側ＴＣＰ１１としてフロー制御を説明する。
【０００５】
送信側ＴＣＰ１０（固定端末６）は、同時に送信するＴＣＰセグメントの数を増減することによりフロー制御を行い、伝送効率を高めることができる。換言すれば、送信側ＴＣＰ１０（固定端末６）は、ネットワークの輻輳状態に応じて、同時に送信可能なデータ量を示す送信ウィンドウであるｃｗｎｄ（Congestion WiNDow）１２をＴＣＰセグメントのサイズを単位として増減することによりフロー制御する。
【０００６】
具体的には、送信側ＴＣＰ１０（固定端末６）は、ｃｗｎｄ１２のサイズを１として通信を開始し、送信したＴＣＰセグメントに対応する受信確認応答であるＡＣＫセグメントを受信側ＴＣＰ１１（無線端末３）から受信した場合は、ｃｗｎｄ１２のサイズが所定の閾値に至るまでは指数関数的にｃｗｎｄ１２を増加させる（スロースタートモード）。そして、ｃｗｎｄ１２が所定の閾値に至った後は、ｃｗｎｄ１２を線形的に増加させる（輻輳回避モード）。この輻輳回避モードにおいて、同一シーケンス番号を有するＡＣＫセグメントを重複して受信した場合、送信側ＴＣＰ１０（固定端末６）は、ネットワークが軽い輻輳状態であると判断し、ｃｗｎｄ１２を所定の閾値まで減少させる。また、所定の時間内にＡＣＫセグメントが受信されない場合（再送タイムアウト）は、ｃｗｎｄ１２のサイズを１にする。
【０００７】
一方、受信側ＴＣＰ１１（無線端末３）は、受信可能なＴＣＰセグメントの数を示す受信ウィンドウであるａｗｎｄ（Advertised WiNDow）１３を送信側ＴＣＰ１０（固定端末６）に対して、常に報告している。送信側ＴＣＰ１０（固定端末６）は、上述のようにｃｗｎｄ１２を増減させるとともに、ｃｗｎｄ１２とａｗｎｄ１３を比較し、小さい方のウィンドウサイズでＴＣＰセグメントを送信する。すなわち、図４においては、ｃｗｎｄ１２のサイズが３であり、ａｗｎｄ１３のサイズが５であるため、３つのＴＣＰセグメント１４が送信側ＴＣＰ１０（固定端末６）から同時に送信される。
【０００８】
このようにすることで、コネクション間の利用可能帯域を最大限活用したデータ伝送を行うことができるとともに、受信側ウィンドウサイズを考慮することによって、受信側の処理能力を上回った数のＴＣＰセグメントが送信されることを防ぎ、受信側においてバッファ容量が不足して受信されたＴＣＰセグメントが廃棄されることを防ぐことができる。
【０００９】
しかし、上述のような送信側ＴＣＰ１０（固定端末６）と受信側ＴＣＰ１１（無線端末３）の間に無線リンクが含まれる場合においては、有線リンクと比較して無線リンクは誤り率が大きいため、ネットワークの輻輳とは無関係に発生する無線リンクの伝送誤りに起因するパケット廃棄に対してもｃｗｎｄ１２を減少させてしまうことがある。すなわち、受信側ＴＣＰ１１（無線端末３）は、受信したＴＣＰセグメントに伝送誤りが多い場合には廃棄され、そのＴＣＰセグメントに対するＡＣＫセグメントを送信せずに前回受信したＴＣＰセグメントに対するＡＣＫセグメントを送信するため、送信側ＴＣＰ１０（固定端末６）は、重複してＡＣＫセグメントを受信することになり、ｃｗｎｄ１２を所定の閾値まで減少させる。
【００１０】
また、無線リンク（すなわち、無線端末３と基地局２のリンク）における伝送誤りを軽減するために、無線リンク間での再送処理が行われるのが一般的であるが、このような無線リンク間の再送によって実効的な無線リンク帯域が減少し、送信待ちパケットが増加して、無線リンクの送信バッファにあたる基地局２のバッファにおいてＴＣＰセグメントの廃棄が発生することがある。
【００１１】
このような、ネットワークの輻輳とは無関係な無線リンク特有の伝送誤りによるスループットの低下に対して、特開２００１−１３６２０９号公報に開示された技術では、通信先から送信された信号に基づいて自装置が送信したパケットの廃棄の原因を特定し、無線リンクの伝送誤りによるパケット廃棄の場合は、ウィンドウサイズが減少する幅を小さくすることによって、無線リンクにおけるパケット廃棄が発生した場合のエンドツーエンドのスループット低下を改善している。
【００１２】
【発明が解決しようとする課題】
しかしながら、上述のようなパケット廃棄の原因を特定する方法においては、無線リンクに接続された装置のみでなく、ＩＰネットワークに接続された固定端末やサーバのＴＣＰを変更する必要があり、現在のＩＰネットワークとそれに接続されている固定端末およびサーバの普及を鑑みて、この方法によってスループット低下を改善するのは実現が困難であるという問題がある。また、無線リンク間で再送処理が行われることにより、実効的な無線リンク帯域の変動があった場合には、依然として基地局装置のバッファにおけるパケットの廃棄が発生するという問題がある。
【００１３】
本発明はかかる点に鑑みてなされたものであり、ＩＰネットワークの構成を変更することなく、無線リンクを含むネットワークにおけるスループットを向上することができる無線パケット通信装置および無線パケット通信方法を提供することを目的とする。
【００１４】
【課題を解決するための手段】
本発明の無線パケット通信装置は、無線通信において伝送することが許容されるパケット量を示す情報に基づいて受信可能なパケットの最大量を決定する決定手段と、決定された受信可能パケット最大量を含む情報を送信する送信手段と、を具備し、前記決定手段は、パケットを受信する受信部と、受信パケットのフレームエラー率を算出する算出部と、無線通信に使用される無線帯域を制御する制御部と、算出されたフレームエラー率、及び、制御された無線帯域から前記受信パケットを記憶するために使用可能な最大バッファ容量を推定する推定部と、を有し、推定された最大バッファ容量から使用中のバッファ容量を減じることにより受信可能パケット最大量を決定する構成を採る。
【００１５】
この構成によれば、無線通信において伝送することが許容されるパケット量を示す情報に基づいて、受信可能なパケットの最大量を決定して報告するため、ＩＰネットワークに接続された固定端末やサーバなどのパケットの送信元は、無線リンクにおいて生じる再送や伝送誤りが考慮された伝送可能な量のパケットを送信し、無線リンクにおいて生じるパケット廃棄を防ぐことができ、ＩＰネットワークの構成を変更することなく、無線リンクを含むネットワークにおけるスループットを向上することができる。
【００２０】
本発明の無線パケット通信装置は、前記推定部は、前記制御部によって使用される無線帯域が変更されるごとに最大バッファ容量を推定する構成を採る。
【００２１】
この構成によれば、無線帯域が変更されるごとに最大バッファ容量を推定するため、無線リンク間で再送処理が行われることにより実効的な無線リンク帯域が変動した場合でもパケット廃棄を防ぐことができ、ＩＰネットワークの構成を変更することなく、無線リンクを含むネットワークにおけるスループットを向上することができる。
【００４４】
本発明の無線パケット通信方法は、パケットを受信するステップと、受信パケットのフレームエラー率を算出するステップと、無線通信に使用される無線帯域を制御するステップと、算出されたフレームエラー率、及び、制御された無線帯域から前記受信パケットを記憶するために使用可能な最大バッファ容量を推定するステップと、推定された最大バッファ容量から使用中のバッファ容量を減じることにより受信可能なパケット最大量を決定するステップと、決定した受信可能パケット最大量を含む情報を送信するステップと、を有するようにした。
【００４５】
この方法によれば、無線通信において伝送することが許容されるパケット量を示す情報に基づいて、受信可能なパケットの最大量を決定して報告するため、ＩＰネットワークに接続された固定端末やサーバなどのパケットの送信元は、無線リンクにおいて生じる再送や伝送誤りが考慮された伝送可能な量のパケットを送信し、無線リンクにおいて生じるパケット廃棄を防ぐことができ、ＩＰネットワークの構成を変更することなく、無線リンクを含むネットワークにおけるスループットを向上することができる。
【００４６】
【発明の実施の形態】
本発明の骨子は、無線リンクの状態に関する情報をトランスポートプロトコルであるＴＣＰに通知し、その情報を利用したフロー制御を行うことである。
【００４７】
以下、本発明の実施の形態について、図面を参照して詳細に説明する。
【００４８】
（実施の形態１）
図１は、本発明の実施の形態１に係る無線通信端末装置１００および基地局装置２００の構成を示す図である。無線通信端末装置１００は、アプリケーション部１１０、ＴＣＰ制御部１２０、ＩＰ制御部１３０、再送制御部１４０、無線送受信部１５０、無線リソース制御部１６０、フレームエラー率推定部１７０、およびａｗｎｄ推定部１８０を有している。アプリケーション部１１０は、送信データを作成し、受信データに対して所定の処理を行う。ＴＣＰ制御部１２０は、送信データを所定のサイズに分割し、送信元ポート、宛先ポート、およびシーケンス番号などのＴＣＰヘッダを付加してＴＣＰセグメントを生成する。また、ＴＣＰ制御部１２０は、ａｗｎｄ推定部１８０によって推定された最大ａｗｎｄから実際に使用されているバッファ量を減じた受信可能ａｗｎｄをＴＣＰセグメントヘッダ部に付加する。ここで、受信可能ａｗｎｄは、例えば固定端末やサーバなどのパケットの送信元から同時に伝送可能なパケットの最大量を示すことになる。
【００４９】
ＩＰ制御部１３０は、ＴＣＰセグメントに送信元ＩＰアドレス、および宛先ＩＰアドレスなどのＩＰヘッダを付加してＩＰパケットを生成する。再送制御部１４０は、ＩＰパケットを所定のＰＤＵ（Protocol Data Unit）サイズに分割し、ＰＤＵヘッダを付加する。また、再送制御部１４０は、受信されたＰＤＵパケットについて誤り検出を行う。無線送受信部１５０は、ＰＤＵパケットに対し、符号化・変調など所定の無線処理を行い、アンテナを介して送信する。
【００５０】
無線リソース制御部１６０は、再送制御部１４０および無線送受信部１５０を制御するとともに、使用されている無線帯域の情報をａｗｎｄ推定部１８０へ通知する。フレームエラー率推定部１７０は、誤り検出の結果からフレームエラー率を推定する。ａｗｎｄ推定部１８０は、無線帯域の情報とフレームエラー率とからパケットを記憶するために使用可能な最大のバッファ容量である最大ａｗｎｄを推定する。
【００５１】
一方、基地局装置２００は、無線送受信部２１０、再送制御部２２０、送信バッファ２３０、ＩＰ制御部２４０、リンクレイヤ制御部２５０、および無線リソース制御部２６０を有している。無線送受信部２１０は、アンテナを介して受信した無線パケットに対して、復調、復号などの所定の無線処理を行う。再送制御部２２０は、無線送受信部２１０によって受信された所定の数のＰＤＵパケットからＩＰパケットを生成する。送信バッファ２３０は、無線通信端末装置１００に対するパケット送信時に、送信するＩＰパケットを一時的に記憶する。ＩＰ制御部２４０は、再送制御部２２０から出力されたＩＰパケットを、所定のルーティングプロトコルによって、ＩＰアドレスで指定された転送先（例えば、ＩＰネットワークに接続された固定端末など）へリンクレイヤ制御部２５０を介して送出する。無線リソース制御部２６０は、無線送受信部２１０および再送制御部２２０を制御する。
【００５２】
次いで、上記のように構成された無線通信端末装置１００および基地局装置２００の動作について説明する。なお、ここでは、無線通信端末装置１００が下りのＰＤＵパケットを受信してから図示しない固定端末が無線通信端末装置１００へデータを送信するまでの動作について説明する。
【００５３】
まず、受信動作時は、ＰＤＵパケットがアンテナを介して無線送受信部１５０によって受信され、復調などの所定の無線処理が行われる。そして、無線処理後のＰＤＵパケットは、再送制御部１４０へ出力され、ＰＤＵパケットに付加されているＣＲＣ（Cyclic Redundancy Check）が用いられることにより、誤り検出が行われる。さらに、再送制御部１４０で、所定数のＰＤＵパケットからＩＰパケットが組み立てられ、ＩＰ制御部１３０で、ＩＰパケットからＴＣＰセグメントが生成され、ＴＣＰ制御部１２０で、ＴＣＰセグメントから受信データが得られ、得られたデータはアプリケーション部１１０によって処理される。
【００５４】
また、再送制御部１４０によって、誤り検出結果がフレームエラー率推定部１７０へ出力され、フレームエラー率推定部１７０によって誤り検出の結果から所定時間の平均のフレームエラー率（ＦＥＲ：Frame Error Ratio）が推定される。推定されたＦＥＲは、ａｗｎｄ推定部１８０へ出力される。
【００５５】
一方、無線リソース制御部１６０によって、現在使用されている無線帯域がａｗｎｄ推定部１８０へ通知される。
【００５６】
そして、ａｗｎｄ推定部１８０によって、ＦＥＲと無線帯域に基づいて、無線通信端末装置１００が処理可能な最大のバッファ容量である最大ａｗｎｄが推定される。このとき推定される最大ａｗｎｄは、無線通信端末装置１００が処理可能な最大のウィンドウサイズであるとともに、ＦＥＲおよび無線帯域に基づいているため、無線リンクにおけるＴＣＰに特有の伝送誤りや再送による無線帯域の変動を考慮した使用可能なウィンドウサイズとなっている。推定された最大ａｗｎｄは、ＴＣＰ制御部１２０へ通知される。
【００５７】
次に、送信動作時は、送信データがアプリケーション部１１０で生成され、生成された送信データはＴＣＰ制御部１２０によって所定のサイズに分割され、送信元ポート、宛先ポート、およびシーケンス番号などのＴＣＰヘッダが付加されてＴＣＰセグメントが生成される。また、ＴＣＰ制御部１２０によって、ａｗｎｄ推定部１８０から通知された最大ａｗｎｄから実際に受信されたＴＣＰセグメントが記憶されているバッファ容量が減じられることにより、使用可能なバッファ容量である受信可能ａｗｎｄが算出される。ここで、生成されるＴＣＰセグメントは、例えば図２に示すようなデータフィールドを有しており、このうちウィンドウフィールドには、算出された受信可能ａｗｎｄが記録される。
【００５８】
そして、ＴＣＰセグメントは、ＩＰ制御部１３０によって送信元ＩＰアドレスおよび宛先ＩＰアドレスなどのＩＰヘッダが付加され、得られたＩＰパケットは、再送制御部１４０によってＰＤＵサイズに分割され、無線送受信部１５０によってアンテナを介して送信される。
【００５９】
送信されたＰＤＵパケットは、基地局装置２００のアンテナを介して無線送受信部２１０によって受信され、復調、復号などの所定の無線処理が行われる。これらの処理は、無線リソース制御部２６０によって制御される。そして、無線リソース制御部２６０によって再送制御部２２０が制御されることにより、ＰＤＵパケットからＩＰパケットが生成され、ＩＰ制御部２４０によって、ＩＰアドレスで指定された転送先（例えば、ＩＰネットワークに接続された固定端末など）へ、リンクレイヤ制御部２５０を介して送出される。そして、ＩＰネットワークへ送出されたＩＰパケットは、例えば図示しない固定端末によって受信される。
【００６０】
一方、図示しない固定端末から無線通信端末装置１００へデータが送信される場合は、まず、受信されたＩＰパケットに含まれるＴＣＰセグメントから無線通信端末装置１００の受信可能ａｗｎｄが取得される。そして、ネットワークの輻輳状態に応じて増減する図示しない固定端末の送信バッファ容量であるｃｗｎｄと取得された受信可能ａｗｎｄとが比較され、小さい方のウィンドウサイズのＴＣＰセグメントが送出される。
【００６１】
送出されたＴＣＰセグメントは、基地局装置２００を介して無線通信端末装置１００によって受信される。このとき、図示しない固定端末は、無線通信端末装置１００から報告された、無線リンクの状態を考慮したウィンドウサイズを超えるＴＣＰセグメントを同時に送信することがないため、例えば無線リンクの状態が劣悪で、基地局装置２００から無線通信端末装置１００に対して再送パケットが多く送信されているような場合でも、基地局装置２００の送信バッファ２３０の容量を超える数のＴＣＰセグメントが図示しない固定端末から送出されることが無く、ＴＣＰセグメントの廃棄が生じない。したがって、無線リンクの変動に起因する基地局装置２００のバッファでのパケット廃棄が生じないため、図示しない固定端末へは常に正常にＡＣＫセグメントが送信され、輻輳とは無関係に固定端末におけるｃｗｎｄが減少することがない。
【００６２】
このように、本実施の形態によれば、無線帯域と無線リンク間におけるフレームエラー率とに基づいて無線通信端末装置における受信可能ａｗｎｄを推定し、送信側であるＩＰネットワークに接続された固定端末やサーバへ通知するため、基地局装置においてパケット廃棄が生じず、ＩＰネットワークの構成を変更することなく、無線リンクを含むネットワークにおけるスループットを向上することができる。
【００６３】
なお、本実施の形態においては、最大ａｗｎｄの推定は、無線リンクの設定時に行う。すなわち、無線通信端末装置がアイドル状態から通信状態へと移行する際に、基地局装置と無線通信端末装置とでネゴシエーションが行われ、使用する無線リンク帯域が決定され、決定された無線リンク帯域から最大ａｗｎｄの推定が行われる。
【００６４】
また、通信状態中に無線リンク帯域の変更が行われた場合は、そのタイミングで変更された無線リンク帯域に基づく最大ａｗｎｄの再設定を行うことも可能である。
【００６５】
さらに、本実施の形態においては、受信可能ａｗｎｄは、無線通信端末装置から送信されるＴＣＰセグメントのＴＣＰヘッダのウィンドウフィールドに記録される構成としたが、例えば無線通信端末装置が固定端末から受信したＴＣＰセグメントに対するＡＣＫセグメントに記録されても良く、無線通信端末装置からパケットの送信元へ送信されるデータの一部に記録されて通知されれば良い。
【００９７】
（実施の形態４）
本発明の実施の形態４の特徴は、無線通信端末装置がハンドオーバしそうになるとａｗｎｄを０として報告し、ＴＣＰセグメントの送信元である固定端末やサーバなどは一時的にＴＣＰセグメントの送信を停止する点である。
【００９８】
なお、本実施の形態に係る無線通信端末装置および基地局装置の構成は、図１に示す無線通信端末装置１００および基地局装置２００と同様である。
【００９９】
次いで、本実施の形態に係る無線通信端末装置１００、基地局装置２００、および図示しない固定端末の動作について、図３に示すシーケンス図を用いて説明する。
【０１００】
まず、通常の通信時においては、固定端末から基地局装置２００へＴＣＰセグメントが送出されており、基地局装置２００の送信バッファ２３０にバッファリングされるとともに、古いＴＣＰセグメントから順に無線通信端末装置１００へ送信されている。
【０１０１】
一方、無線通信端末装置１００においては、基地局装置２００を含む複数の基地局装置から送信されている共通パイロットチャネルの受信電力や受信品質が無線送受信部１５０によってそれぞれ測定されている。測定結果は無線リソース制御部１６０へ通知され、複数の基地局装置からのパイロット信号の受信電力や受信品質が比較されることにより、事前ハンドオーバシーケンス起動を要求するか否かが判定される。ここで、事前ハンドオーバシーケンスとは、例えばソフトハンドオーバにおける閾値などのことであり、無線通信端末装置がハンドオーバする場合の準備動作を開始するためのトリガである。
【０１０２】
そして、事前ハンドオーバシーケンス起動を要求すると判定された場合は、判定結果が無線リソース制御部１６０から再送制御部１４０へ通知され、再送制御部１４０によって事前ハンドオーバシーケンス起動を要求する旨の信号が伝送されるデータに多重され、得られた送信データは無線送受信部１５０からアンテナを介して基地局装置２００へ送信される。
【０１０３】
送信データは、基地局装置２００の無線送受信部２１０によってアンテナを介して受信され、再送制御部２２０を介して無線リソース制御部２６０へ出力される。そして、無線リソース制御部２６０によって図示しない制御局等とのネゴシエーションが行われ、ハンドオーバが可能であれば、時刻ｔ1において事前ハンドオーバシーケンスが起動され、まもなくハンドオーバが行われる旨のハンドオーバトリガ信号が無線送受信部２１０からアンテナを介して送信される。
【０１０４】
ハンドオーバトリガ信号は、無線通信端末装置１００の無線送受信部１５０によってアンテナを介して受信され、再送制御部１４０を介して無線リソース制御部１６０へ出力される。ハンドオーバトリガ信号が無線リソース制御部１６０に出力されると、ハンドオーバを行う旨の信号がａｗｎｄ推定部１８０へ出力され、ａｗｎｄ推定部１８０によって受信可能ａｗｎｄが０に設定され、実施の形態１と同様に、受信可能ａｗｎｄが図示しない固定端末へ報告される。
【０１０５】
そして、図示しない固定端末はＴＣＰセグメントの送信を停止し、基地局装置２００は送信バッファ２３０内にバッファリングされているＴＣＰセグメントを送信する。これにより、ハンドオーバ元である基地局装置２００の送信バッファ２３０にバッファリングされているＴＣＰセグメントは、無線通信端末装置１００がハンドオーバする前に送信されるとともに、各ＴＣＰセグメントに対するＡＣＫが図示しない固定端末へ送信される。このため、無線通信端末装置１００がハンドオーバした後に送信バッファ２３０にバッファリングされたままのＴＣＰセグメントが廃棄されることを防ぎ、基地局装置２００までＴＣＰセグメントが到着しているにもかかわらずハンドオーバに伴って基地局装置２００においてパケットが廃棄され、ＡＣＫが図示しない固定端末へ送信されないことを防ぐことができる。したがって、図示しない固定端末で再送タイムアウトが発生しｃｗｎｄが減少してしまうことを防ぐことができ、結果として、無線通信端末装置１００がハンドオーバした後も図示しない固定端末からのＴＣＰセグメントの送信ウィンドウサイズがハンドオーバに起因して減少することがない。
【０１０６】
そして、無線通信端末装置１００において、事前ハンドオーバシーケンス起動の要求の有無の判定と同様に、複数の基地局装置からのパイロット信号の受信電力や受信品質が比較されることにより、ハンドオーバシーケンス起動を要求するか否かが判定され、要求すると判定された場合は、ハンドオーバシーケンス起動を要求する旨の信号がデータに多重され、基地局装置２００へ送信される。
【０１０７】
基地局装置２００は時刻ｔ2においてハンドオーバシーケンスを起動し、時刻ｔ3において、無線通信端末装置１００が通信相手を基地局装置２００から他の基地局装置へ切り替えることにより、ハンドオーバが実施される。
【０１０８】
そして、ハンドオーバが完了すると、無線通信端末装置１００の無線リソース制御部１６０によって、ハンドオーバが完了した旨を示す信号がａｗｎｄ推定部１８０へ出力され、ａｗｎｄ推定部１８０によってＦＥＲと無線帯域に基づいて推定される最大ａｗｎｄがＴＣＰ制御部１２０へ出力され始める。このとき、ａｗｎｄ推定部１８０から出力される最大ａｗｎｄは、ハンドオーバ前に推定されていたものでも良い。
【０１０９】
以後、実施の形態１と同様に、受信可能ａｗｎｄが算出され、ＴＣＰセグメントヘッダ部に付加され、ハンドオーバ先の基地局装置を経由して図示しない固定端末へ受信可能ａｗｎｄが報告される。図示しない固定端末は、受信可能ａｗｎｄが報告されると停止していたＴＣＰセグメントの送信を再開し、ハンドオーバ先の基地局装置を経由して無線通信端末装置１００へＴＣＰセグメントを送信し始める。
【０１１０】
このように、本実施の形態によれば、無線通信端末装置がハンドオーバしそうな場合、受信可能ａｗｎｄを０として送信側である固定端末やサーバへ通知し、無線通信端末装置がハンドオーバを完了した後に再び推定された受信可能ａｗｎｄを通知し始めるため、送信側である固定端末やサーバは、ハンドオーバ直前からパケットの送信を停止し、ハンドオーバ完了後にパケットの送信を再開することができ、ｃｗｎｄを減少させることなく、ハンドオーバ完了後も効率的にパケット伝送を再開することができる。
【０１１１】
なお、上記各実施の形態においては、無線通信端末装置が最大ａｗｎｄを推定し、推定された最大ａｗｎｄに基づく受信可能ａｗｎｄを送信する構成としたが、アプリケーション部、ＴＣＰ制御部、およびＩＰ制御部を有する例えばコンピュータなどの情報端末装置に、例えば無線通信用カードなどの通信装置を着脱するように構成し、通信装置は最大ａｗｎｄを推定し、推定された最大ａｗｎｄを情報端末装置に通知し、情報端末装置は通知された最大ａｗｎｄを用いて動作し、算出された受信可能ａｗｎｄを通信装置が送信するなどとしても良い。
【０１１２】
【発明の効果】
以上説明したように、本発明によれば、ＩＰネットワークの構成を変更することなく、無線リンクを含むネットワークにおけるスループットを向上することができる。
【図面の簡単な説明】
【図１】  本発明の実施の形態１に係る無線通信端末装置および基地局装置の構成を示すブロック図
【図２】  実施の形態１に係るＴＣＰセグメントのデータフィールドの一例を示す図
【図３】  本発明の実施の形態４に係る無線通信端末装置、基地局装置、および固定端末の動作を示すシーケンス図
【図４】  従来のＩＰネットワークと無線通信システムの構成の一例を示す図
【図５】  従来の送信側ＴＣＰおよび受信側ＴＣＰにおけるフロー制御を説明するための図
【図１】
0003953343.tif 000002
【図２】
0003953343.tif 000003
【図３】
0003953343.tif 000004
【図４】
0003953343.tif 000005
【図５】
0003953343.tif 000006